(57)【要約】【課題】吐出リード弁のアーム長さを変更したとしても、たとえばハウジングの大型化等の、ハウジングの内径におよぶ影響を小さくすることが可能な構成を備えたベーン型圧縮機を得る。【解決手段】ベーン型圧縮機は、シリンダ部１４の軸方向における一方側に位置する端面１４ｔに重なるように配置された弁プレート８０を備える。弁プレート８０には、切欠８２が設けられることによって板ばね状の吐出リード弁８１が形成される。切欠８２は外側開口端８３を有し、外側開口端８３が弁プレート８０の外周縁で開口するように形成される。吐出リード弁８１は、先端部８１ａと基端部８１ｂとを有し、吐出通路３７を開閉可能なように端面１４ｔを弁座として配置されており、吐出リード弁８１は、先端部８１ａおよび基端部８１ｂが弁プレート８０の外周域に位置するように延在している。【選択図】図２
2019143596.tif 000002
【特許請求の範囲】
【請求項１】
互いに結合される第１ハウジング部材と第２ハウジング部材とを有し、前記第１ハウジング部材に筒状のシリンダ部が設けられ、前記シリンダ部の内側にシリンダ室が形成されるハウジングと、
前記ハウジングにより回転可能に支持された回転軸と、
板状の形状を有し、前記シリンダ部の軸方向における一方側に位置する端面に重なるように配置された弁プレートと、
前記シリンダ室内に収容され、前記回転軸と一体的に回転可能であり、外周面に複数のベーン溝が形成されたロータと、
前記複数のベーン溝の各々に出没可能に装着されたベーンと、
前記シリンダ室内に、前記シリンダ部、前記ロータおよび前記ベーンによって形成される圧縮室と、
前記シリンダ部の前記端面に開口するように形成され、前記圧縮室で圧縮された冷媒が吐出される吐出通路と、
前記圧縮室で圧縮された冷媒が前記吐出通路を介して吐出される吐出室と、を備え、
前記弁プレートには、切欠が設けられることによって板ばね状の吐出リード弁が形成され、前記弁プレートが前記シリンダ部の前記端面と前記第２ハウジング部材との間に挟まれることにより支持され、
前記切欠は、外側開口端を有し、前記外側開口端が前記弁プレートの外周縁で開口するように形成され、
前記吐出リード弁は、前記吐出通路を開閉する先端部と、前記先端部の反対側に位置する基端部とを有し、前記吐出通路を開閉可能なように前記端面を弁座として配置され、
前記吐出リード弁は、前記先端部および前記基端部が前記弁プレートの外周域に位置するように延在している、
ベーン型圧縮機。
【請求項２】
前記弁プレートの径方向において前記吐出リード弁の外側に位置する外周縁および前記吐出リード弁の内側に位置する内周縁は、直線状に延びる形状を有し、互いに平行に延在している、
請求項１に記載のベーン型圧縮機。
【請求項３】
前記弁プレートは、前記シリンダ部とともに前記シリンダ室を形成する中央部を有し、
前記弁プレートの径方向において前記吐出リード弁の外側に位置する外周縁は、前記中央部の外周縁を規定している周方向に沿うように延在している、
請求項１に記載のベーン型圧縮機。
【請求項４】
締結具をさらに備え、
前記吐出リード弁の前記基端部には挿通孔が設けられ、
前記挿通孔に挿通された前記締結具によって、前記吐出リード弁は前記シリンダ部の前記端面に固定されている、
請求項１から３のいずれか１項に記載のベーン型圧縮機。
【請求項５】
前記切欠は、前記先端部から前記基端部に向かう方向において、前記締結具の締結位置を越える位置にまで到達するように延在しており、
前記切欠のうち、前記先端部から前記基端部に向かう方向において前記締結具の前記締結位置を越えて延在している部分は、前記吐出リード弁の幅を狭めるように湾曲している、
請求項４に記載のベーン型圧縮機。
【請求項６】
前記第２ハウジング部材には突出部が設けられており、
前記突出部によって前記基端部が押圧されることで、前記吐出リード弁は前記シリンダ部の前記端面に固定されている、
請求項１から３のいずれか１項に記載のベーン型圧縮機。
【請求項７】
前記切欠は、前記弁プレートの周方向に沿うように延在する第１部分と、前記第１部分から前記外側開口端に向かって前記弁プレートの径方向の内側から外側に延びる第２部分と、を有している、
請求項１から６のいずれか１項に記載のベーン型圧縮機。
【請求項８】
前記吐出通路は、前記シリンダ部の内周面に開口しており、前記軸方向に対して交差する方向に沿って斜めに延在している。
請求項１から７のいずれか１項に記載のベーン型圧縮機。
【発明の詳細な説明】
【技術分野】
【０００１】
本発明は、ベーン型圧縮機に関する。
【背景技術】
【０００２】
特開２０１３−２４９７６８号公報（特許文献１）には、ベーン型圧縮機に関する発明が開示されている。この圧縮機においては、リアサイドブロックがシリンダに結合されることにより圧縮室が形成されている。リアサイドブロックには吐出孔が設けられており、この吐出孔を開閉可能なように吐出リード弁がリアサイドブロックに取り付けられている。圧縮室で圧縮された冷媒は、吐出孔を通過し、吐出リード弁を押し退けて吐出空間に吐出される。
【先行技術文献】
【特許文献】
【０００３】
【特許文献１】特開２０１３−２４９７６８号公報
【発明の概要】
【発明が解決しようとする課題】
【０００４】
特開２０１３−２４９７６８号公報（特許文献１）に開示された圧縮機においては、リアサイドブロックと吐出リード弁とが互いに別の部材から構成される。部品点数を少なくするためには、リアサイドブロックと吐出リード弁との双方の機能を備える部材を、１枚の板状部材から作製するという手法が考えられる。
【０００５】
吐出リード弁は、１枚の板状部材に切欠を設けることによって形成することができる。吐出リード弁は、基端部と先端部とを有し、基端部から先端部まで板ばね状に延在する。吐出リード弁の延在方向が板状部材の径方向に一致している場合には、先端部と基端部との間の距離を増減させた際に、ハウジングの内径に影響がおびやすい。たとえば吐出リード弁のアーム長さを長くした場合、ハウジングの内径も大きくする必要が生じることがある。
【０００６】
本発明は、吐出リード弁のアーム長さを変更したとしてもハウジングの内径におよぶ影響を小さくすることが可能な、たとえば、吐出リード弁のアーム長さを長くした場合であっても圧縮機の大型化を抑制することが可能な構成を備えたベーン型圧縮機を提供することを目的とする。
【課題を解決するための手段】
【０００７】
本発明に基づくベーン型圧縮機は、互いに結合される第１ハウジング部材と第２ハウジング部材とを有し、上記第１ハウジング部材に筒状のシリンダ部が設けられ、上記シリンダ部の内側にシリンダ室が形成されるハウジングと、上記ハウジングにより回転可能に支持された回転軸と、板状の形状を有し、上記シリンダ部の軸方向における一方側に位置する端面に重なるように配置された弁プレートと、上記シリンダ室内に収容され、上記回転軸と一体的に回転可能であり、外周面に複数のベーン溝が形成されたロータと、上記複数のベーン溝の各々に出没可能に装着されたベーンと、上記シリンダ室内に、上記シリンダ部、上記ロータおよび上記ベーンによって形成される圧縮室と、上記シリンダ部の上記端面に開口するように形成され、上記圧縮室で圧縮された冷媒が吐出される吐出通路と、上記圧縮室で圧縮された冷媒が上記吐出通路を介して吐出される吐出室と、を備え、上記弁プレートには、切欠が設けられることによって板ばね状の吐出リード弁が形成され、上記弁プレートが上記シリンダ部の上記端面と上記第２ハウジング部材との間に挟まれることにより支持され、上記切欠は、外側開口端を有し、上記外側開口端が上記弁プレートの外周縁で開口するように形成され、上記吐出リード弁は、上記吐出通路を開閉する先端部と、上記先端部の反対側に位置する基端部とを有し、上記吐出通路を開閉可能なように上記端面を弁座として配置され、上記吐出リード弁は、上記先端部および上記基端部が上記弁プレートの外周域に位置するように延在している。
【０００８】
上記構成によれば、先端部および基端部が弁プレートの外周域に位置するように吐出リード弁が延在しているため、吐出リード弁のアーム長さを変更したとしてもハウジングの内径におよぶ影響を小さくすることが可能となる。たとえば、吐出リード弁のアーム長さを長くした場合であっても圧縮機の大型化を抑制することが可能となる。
【０００９】
上記ベーン型圧縮機において好ましくは、上記弁プレートの径方向において上記吐出リード弁の外側に位置する外周縁および上記吐出リード弁の内側に位置する内周縁は、直線状に延びる形状を有し、互いに平行に延在している。
【００１０】
吐出リード弁の幅方向において中心に位置し且つ吐出リード弁の延在方向に沿って延びる直線を描いたとすると、上記構成によれば、吐出リード弁は、当該直線に対して略対称形状を有することとなるため、吐出リード弁は安定して開閉動作を行なうことが可能となる。
【００１１】
上記ベーン型圧縮機において好ましくは、上記弁プレートは、上記シリンダ部とともに上記シリンダ室を形成する中央部を有し、上記弁プレートの径方向において上記吐出リード弁の外側に位置する外周縁は、上記中央部の外周縁を規定している周方向に沿うように延在している。
【００１２】
上記構成によれば、弁プレートの径方向において外周縁の位置をより外側に設けることによって、吐出リード弁の表面積をより多く確保することができ、ひいては所定の剛性を有する吐出リード弁を効率よく得ることが可能となる。
【００１３】
上記ベーン型圧縮機において好ましくは、締結具をさらに備え、上記吐出リード弁の上記基端部には挿通孔が設けられ、上記挿通孔に挿通された上記締結具によって、上記吐出リード弁は上記シリンダ部の上記端面に固定されている。
【００１４】
上記構成によれば、吐出リード弁の基端部をシリンダ部に直接的に固定でき、設計変更（仕様変更）などに柔軟に対応しやすいというメリットがある。
【００１５】
上記ベーン型圧縮機において好ましくは、上記切欠は、上記先端部から上記基端部に向かう方向において、上記締結具の締結位置を越える位置にまで到達するように延在しており、上記切欠のうち、上記先端部から上記基端部に向かう方向において上記締結具の上記締結位置を越えて延在している部分は、上記吐出リード弁の幅を狭めるように湾曲している。
【００１６】
上記構成によれば、締結具の締結位置が弾性変形の固定端を形成することとなり、吐出リード弁による吐出通路の開閉を適切に行なうことができ、開閉の際に不要な位置に応力集中が発生することも効果的に抑制することが可能となる。
【００１７】
上記ベーン型圧縮機において好ましくは、上記第２ハウジング部材には突出部が設けられており、上記突出部によって上記基端部が押圧されることで、上記吐出リード弁は上記シリンダ部の上記端面に固定されている。
【００１８】
上記構成によれば、突出部により吐出リード弁を固定でき、たとえばボルト等を用いる場合に比べて部品点数を少なくすることができる。
【００１９】
上記ベーン型圧縮機において好ましくは、上記切欠は、上記弁プレートの周方向に沿うように延在する第１部分と、上記第１部分から上記外側開口端に向かって上記弁プレートの径方向の内側から外側に延びる第２部分と、を有している。
【００２０】
上記構成によれば、吐出リード弁を形成するための切欠をより小さく構成することにより、吐出リード弁の表面積と中央部の表面積とをより多く確保することができ、ひいては所定の剛性を有する弁プレートを効率よく得ることが可能となる。
【００２１】
上記ベーン型圧縮機において好ましくは、上記吐出通路は、上記シリンダ部の内周面に開口しており、上記軸方向に対して交差する方向に沿って斜めに延在している。
【００２２】
上記構成によれば、たとえば吐出通路がＬ字状に形成される場合に比べてデッドボリュームを小さくすることが可能となる。
【発明の効果】
【００２３】
上記のベーン型圧縮機によれば、吐出リード弁のアーム長さを変更したとしてもハウジングの内径におよぶ影響を小さくすることが可能な、たとえば、吐出リード弁のアーム長さを長くした場合であっても圧縮機の大型化を抑制することが可能な構成を備えたベーン型圧縮機を得ることができる。
【図面の簡単な説明】
【００２４】
【図１】実施の形態におけるベーン型圧縮機１０を示す断面図である。
【図２】実施の形態におけるベーン型圧縮機１０の分解した状態を示す斜視図である。
【図３】実施の形態におけるベーン型圧縮機１０の分解した状態を示す側面図である。
【図４】実施の形態におけるベーン型圧縮機１０に備えられた吐出リード弁８１およびその周辺構成を示す断面図である。
【図５】実施の形態の変形例（その他の構成１）におけるベーン型圧縮機の分解した状態を示す斜視図である。
【発明を実施するための形態】
【００２５】
実施の形態におけるベーン型圧縮機１０について、以下、図面を参照しながら説明する。同一の部品および相当部品には同一の参照番号を付し、重複する説明は繰り返さない場合がある。図１は、ベーン型圧縮機１０を示す断面図である。以下の説明においては便宜上のため、図１に示すベーン型圧縮機１０の図中左方向を前方と称し、同右方向を後方と称する。
【００２６】
図２は、ベーン型圧縮機１０の分解した状態を示す斜視図である。図２に示すフロントハウジング１３、弁ユニット１５（弁プレート８０およびリテーナプレート９０）およびガスケット５０については、後方側から前方側に向かってこれらを斜めに見た様子が図示されており、リヤハウジング１２については、前方側から後方側に向かってリヤハウジング１２を斜めに見た様子が図示されている。
【００２７】
図３は、ベーン型圧縮機１０の分解した状態を示す側面図である。図３に示すフロントハウジング１３、弁ユニット１５（弁プレート８０およびリテーナプレート９０）およびガスケット５０については、後方側から前方側に向かって回転軸１６の軸方向に沿ってこれらを側面視した様子が図示されており、リヤハウジング１２については、前方側から後方側に向かって回転軸１６の軸方向に沿ってリヤハウジング１２を側面視した様子が図示されている。図３に示すリヤハウジング１２の周壁１２ａには、便宜上のため斜線のハッチングを付している。図４は、ベーン型圧縮機１０に備えられた吐出リード弁８１およびその周辺構成を示す断面図である。
【００２８】
［ベーン型圧縮機１０］
ベーン型圧縮機１０は、たとえば車両に搭載され、車両の空調装置に用いられる。図１に示すように、ベーン型圧縮機１０は、ハウジング１１、弁ユニット１５、回転軸１６、ロータ１８（図１，図３）、ベーン１９（図３）、およびガスケット５０（図２，図３）等を備える。
【００２９】
（ハウジング１１）
ハウジング１１は筒状のシリンダ部１４を有する。本実施の形態では、ハウジング１１がリヤハウジング１２とフロントハウジング１３とから構成される。フロントハウジング１３（第１ハウジング部材）はリヤハウジング１２（第２ハウジング部材）の前端に結合される。シリンダ部１４は、フロントハウジング１３に設けられる。リヤハウジング１２は周壁１２ａを有し、シリンダ部１４は周壁１２ａの内側に配置される。周壁１２ａには吸入ポート２２（図１）が形成され、吸入ポート２２の内側には逆止弁２６が設けられる。
【００３０】
シリンダ部１４の内周面１４ｃは、楕円状の形状を有する（図２，図３）。シリンダ部１４の外周面には凹部１４ａが設けられる。凹部１４ａはシリンダ部１４の全周に亘って延在する。凹部１４ａおよびリヤハウジング１２の内周面により吸入空間２０が区画される。シリンダ部１４には一対の吸入孔２３（図１，図３）が設けられる。吸入行程の際、吸入空間２０は吸入孔２３を通じてシリンダ室１４ｄ（図３）に連通する。
【００３１】
フロントハウジング１３は底壁部１３ｐ（図１）を有する。底壁部１３ｐには孔１３ｈが設けられ、孔１３ｈには回転軸１６が挿通される。回転軸１６とフロントハウジング１３との間には軸封装置１７ａが設けられる。底壁部１３ｐは、シリンダ室１４ｄ（図３）を区画する端面１３ｓ（図１）を有する。端面１３ｓ、内周面１４ｃ、および、後述する弁プレート８０の前面８０ａ（中央部８７）により、シリンダ部１４の内側にシリンダ室１４ｄが形成される。
【００３２】
シリンダ室１４ｄ（図３）内にはロータ１８が収容される。ロータ１８は回転軸１６と一体的に回転可能である。ロータ１８の外周面１８ｃには複数のベーン溝１８ａが形成される。複数のベーン溝１８ａの各々にはベーン１９が出没可能に装着される。ロータ１８の外周面１８ｃと、シリンダ部１４の内周面１４ｃと、隣り合う一対のベーン１９と、底壁部１３ｐの端面１３ｓ（図１）と、後述する弁プレート８０の前面８０ａ（中央部８７）とにより、シリンダ室１４ｄ内に圧縮室２１（図３）が形成される。
【００３３】
ベーン溝１８ａの底面とベーン１９の底面とによって背圧室４１（図３）が形成される。背圧室４１は、ベーン１９に背圧を付与し、ベーン１９を外周側に押し出す。図１および図３に示すように、底壁部１３ｐの端面１３ｓには、周方向にて互いに離間した複数の（ここでは２つの）通油溝１３ａが形成されている。複数の通油溝１３ａの各々は、互いに隣り合っている背圧室４１同士の間を接続するように周方向に延在している。
【００３４】
リヤハウジング１２の底部１２ｔには、有底状のカバー部３６が一体的に設けられる。カバー部３６は、自身の前側に壁部３６ｊ（隔壁）を有している。カバー部３６の内部（カバー部３６自身の内部）には、壁部３６ｊによって油分離室３６ｓが区画される。油分離室３６ｓ内には油分離筒３６ｗが設けられる。油分離筒３６ｗの上方には吐出ポート３４が形成される。
【００３５】
カバー部３６の壁部３６ｊには連絡通路３６ｋ（図１，図３）と油通路３６ｖとが形成される。圧縮室２１で圧縮された冷媒は吐出通路３７（後述する）を介して吐出室３５ａに吐出される。連絡通路３６ｋは吐出室３５ａと油分離室３６ｓとを連通させる。油通路３６ｖは、油分離室３６ｓと貯油室３５ｂ（後述する）とを連通させる。貯油室３５ｂは油分離室３６ｓで分離された潤滑油を貯留する。
【００３６】
カバー部３６の壁部３６ｊには、第１突出部３６ａ（図１〜図３）、第２突出部３６ｂ、段差部３６ｄ、垂下部３６ｆ、および連通孔３６ｍが形成される。第１突出部３６ａ、第２突出部３６ｂ、段差部３６ｄ、および垂下部３６ｆの前端面は、回転軸１６の軸方向に対して直交する同一の平面内に位置する。
【００３７】
第１突出部３６ａおよび第２突出部３６ｂはいずれも円環状に延びる形状を有し、第１突出部３６ａは、第２突出部３６ｂの内径側に位置する。第１突出部３６ａの内側には、回転軸１６（図１）が挿入される凹部３６ｕが設けられる。ハウジング１１により、すなわちフロントハウジング１３に設けられた孔１３ｈとリヤハウジング１２（第１突出部３６ａ）の内周面３６ｅとにより回転軸１６が回転可能に支持される。
【００３８】
段差部３６ｄは、第２突出部３６ｂの外径側において円弧状に延在する。垂下部３６ｆは第１突出部３６ａの下部から下方に向かって延在しており、垂下部３６ｆを貫通するように連通孔３６ｍが設けられる。連通孔３６ｍの前端部分は垂下部３６ｆの前端面に開口しており、連通孔３６ｍの後端部分３６ｎ（図１）は第１突出部３６ａの内周面３６ｅに開口している。
【００３９】
シリンダ部１４は端面１４ｔを有する。端面１４ｔは、シリンダ部１４のうちの回転軸１６の軸方向における一方側（後方側）に位置する。端面１４ｔは、回転軸１６の軸方向に対して直交する平面形状を有する。シリンダ部１４には、吐出通路３７が設けられる。端面１４ｔには、吐出通路３７の後端部分と複数のネジ穴１４ｍ，１４ｎ（図２，図３）とが開口している。吐出通路３７の前端部分はシリンダ部１４の内周面１４ｃに開口している（図１，図２）。
【００４０】
吐出通路３７は、シリンダ室１４ｄ（圧縮室２１）で圧縮された冷媒が吐出される通路である。吐出通路３７は、シリンダ部１４の端面１４ｔ上に設けられた吐出リード弁８１（図２，図３）により開閉する。圧縮室２１で圧縮された冷媒は、吐出通路３７を通過し、吐出リード弁８１を押し退けて吐出室３５ａ（後述する）へ吐出される。
【００４１】
（弁ユニット１５）
弁ユニット１５は弁プレート８０とリテーナプレート９０との２枚を含む。弁プレート８０は前面８０ａおよび後面８０ｂを有する。リテーナプレート９０は前面９０ａおよび後面９０ｂを有する。弁プレート８０およびリテーナプレート９０には、回転軸１６が挿通される孔８７ｈ，９７ｈがそれぞれ設けられる。
【００４２】
弁プレート８０およびリテーナプレート９０はいずれも、全体として回転軸１６を環状に囲む板状（円盤状）の形状を有し、リヤハウジング１２の周壁１２ａの内側に配置される。弁プレート８０は、前面８０ａがシリンダ部１４の端面１４ｔに重なるように配置される。リテーナプレート９０は、前面９０ａが弁プレート８０の後面８０ｂに重なるように配置される。
【００４３】
弁プレート８０およびリテーナプレート９０は、シリンダ部１４の端面１４ｔに、複数のボルト７８，７９（図２）を用いて固定される。弁プレート８０には複数の挿通孔８８，８９が形成されており、リテーナプレート９０には複数の挿通孔９８，９９が形成されている。ボルト７８は挿通孔９８，８８に挿通されてネジ穴１４ｍに螺合し、ボルト７９は挿通孔９９，８９に挿通されてネジ穴１４ｎに螺合する。ボルト７８は、締結具に相当する部材であり、後述する吐出リード弁８１をシリンダ部１４の端面１４ｔに固定する。
【００４４】
弁プレート８０には連通孔８７ｖ（図２，図３）が設けられる。リテーナプレート９０には連通溝９７ｇ（図３）が設けられる。連通溝９７ｇは、リテーナプレート９０の前面９０ａ側に設けられ、孔９７ｈの位置から径方向の外側に向かって直線状に延びている。連通孔８７ｖと連通溝９７ｇとは相互に対向する。複数の背圧室４１の各々は、回転に伴って、連通孔８７ｖに対向している状態と、連通孔８７ｖに対向していない状態とを繰り返す。
【００４５】
背圧室４１が連通孔８７ｖと対向しているときに、連通溝９７ｇおよび連通孔８７ｖを通して背圧室４１に潤滑油が供給される。図２，図３に示すように、弁プレート８０にも、周方向にて互いに離間した複数の（ここでは２つの）通油溝８７ｗが形成されている。複数の通油溝８７ｗの各々は、互いに隣り合っている背圧室４１同士の間を接続するように周方向に延在している。
【００４６】
（吐出リード弁８１）
弁プレート８０には、略Ｊ字形状の切欠８２が設けられることにより板ばね状の吐出リード弁８１が形成されている。弁プレート８０には、一対の切欠８２が設けられている。弁プレート８０は、中央部８７と一対の吐出リード弁８１とを有している。中央部８７は、切欠８２，８２の間に位置しており、シリンダ部１４とともにシリンダ部１４の内側にシリンダ室１４ｄを形成する。吐出リード弁８１は、切欠８２から見て中央部８７の反対側、すなわち、切欠８２の径方向外側に位置する。
【００４７】
吐出リード弁８１の根元に対応する位置に挿通孔８８が設けられる。吐出リード弁８１はシリンダ部１４の端面１４ｔに重なるように配置され、ボルト７８（締結具）によって端面１４ｔに締結される。吐出リード弁８１は、吐出通路３７を開閉する先端部８１ａと、先端部８１ａの反対側に位置する基端部８１ｂとを有する。吐出リード弁８１が端面１４ｔに締結された状態では、吐出リード弁８１は吐出通路３７を開閉可能なようにシリンダ部１４の端面１４ｔを弁座として配置されており、吐出通路３７の後端部分は吐出リード弁８１により塞がれる。基端部８１ｂがボルト７８によって端面１４ｔに締結されることで、吐出リード弁８１の先端部８１ａは弾性変形の自由端を構成するとともに、吐出リード弁８１の基端部８１ｂは弾性変形の固定端を構成する。
【００４８】
吐出リード弁８１は、先端部８１ａおよび基端部８１ｂが弁プレート８０の外周域に位置するように延在している。先端部８１ａと基端部８１ｂとは、弁プレート８０（中央部８７）の周方向において相互に離間している。図３に示すように、ベーン型圧縮機１０においては、切欠８２（図３）が、外側開口端８３、湾曲部８４、直線部８５、および内側端８６を有しており、全体として略Ｊ字形状に延びている。切欠８２は、外側開口端８３が弁プレート８０の外周縁で開口するように形成されている。
【００４９】
（リテーナ９１）
リテーナプレート９０には、略Ｊ字形状の切欠９２が設けられることによってリテーナ９１が形成されている。リテーナプレート９０には、一対の切欠９２が設けられている。リテーナプレート９０は、中央部９７と一対のリテーナ９１とを有している。中央部９７は弁プレート８０の中央部８７を後側から支持する部分であり、切欠９２，９２の間に位置する。リテーナ９１は、切欠９２から見て中央部９７の反対側、すなわち切欠９２の径方向外側に位置する。
【００５０】
リテーナ９１の根元に対応する位置に挿通孔９８が設けられる。リテーナ９１はボルト７８によって、弁プレート８０を介してシリンダ部１４の端面１４ｔに締結される。リテーナ９１は、先端部９１ａと、先端部９１ａの反対側に位置する基端部９１ｂとを有する。先端部９１ａは、吐出リード弁８１の先端部８１ａに後側から重ね合わさるように配置され、基端部９１ｂは、吐出リード弁８１の基端部８１ｂに後側から重ね合わさるように配置される。リテーナ９１は吐出リード弁８１の開度を規制する。
【００５１】
リテーナ９１は、先端部９１ａおよび基端部９１ｂがリテーナプレート９０の外周域に位置するように延在している。先端部９１ａと基端部９１ｂとは、リテーナプレート９０（中央部９７）の周方向において相互に離間している。切欠９２も、切欠８２と同様に、リテーナプレート９０の外周縁で開口するように形成されている。
【００５２】
（ガスケット５０）
図１〜図３に示すように、ガスケット５０は、リテーナプレート９０とカバー部３６との間に配置される。ガスケット５０は、リテーナプレート９０とカバー部３６とにより軸方向に挟み込まれて、吐出室３５ａ、貯油室３５ｂおよび供給室７０を区画する。ガスケット５０は、たとえば金属製の薄板から構成され、表面はゴム等の樹脂で覆われている。
【００５３】
ガスケット５０は、第１環状部５１、第２環状部５２、外周部５３、接続部５４，５５、垂下部５６、および連通孔５７を有する。第１環状部５１および第２環状部５２はいずれも円環状に延びる形状を有し、第１環状部５１は、第２環状部５２の内径側に位置する。第１環状部５１の内側には、回転軸１６（図１）が挿通される孔５１ｈが設けられている。接続部５４は、径方向に延在し、第１環状部５１と第２環状部５２とを接続する。
【００５４】
外周部５３は、第２環状部５２の外径側において円弧状に延在する。接続部５５は、径方向に延在し、第２環状部５２と外周部５３とを接続する。垂下部５６は第１環状部５１の下部から下方に向かって延在しており、垂下部５６を貫通するように連通孔５７が設けられる。
【００５５】
図３を参照して、ガスケット５０がリテーナプレート９０の後面９０ｂに重ね合わされた状態では、孔５１ｈと孔９７ｈとが相互に一致する。ガスケット５０の外周部５３は、後面９０ｂのうちの挿通孔９９，９８の間に位置する部分に重ね合わされる。ガスケット５０の垂下部５６および連通孔５７は、後面９０ｂ（中央部９７）のうちの孔９７ｈの下方に位置する部分に重ね合わされる（図１参照）。
【００５６】
ガスケット５０の第１環状部５１、第２環状部５２、外周部５３、および垂下部５６は、カバー部３６の第１突出部３６ａ、第２突出部３６ｂ、段差部３６ｄ、および垂下部３６ｆとそれぞれ略同一の形状を有する。ガスケット５０の第１環状部５１は、リテーナプレート９０の中央部９７と第１突出部３６ａとによって挟持される。
【００５７】
ガスケット５０の第２環状部５２は、リテーナプレート９０の中央部９７と第２突出部３６ｂとによって挟持される。ガスケット５０の外周部５３は、リテーナプレート９０のうちの挿通孔９９，９８の間に位置する部分と段差部３６ｄとによって挟持される。ガスケット５０の垂下部５６は、リテーナプレート９０の中央部９７と垂下部３６ｆとによって挟持される。
【００５８】
弁プレート８０の外縁部（弁プレート８０のうちの挿通孔８８，８９の間に位置する部分）は、シリンダ部１４の端面１４ｔのうちのネジ穴１４ｍ，１４ｎの間に位置する部分と、リテーナプレート９０およびガスケット５０（外周部５３）を介してリヤハウジング１２（カバー部３６）の段差部３６ｄとの間に挟まれることにより支持されることとなる。
【００５９】
（貯油室３５ｂ、吐出室３５ａ、供給室７０）
リテーナプレート９０（後面９０ｂ）と、ガスケット５０の第１環状部５１の外周部分と、ガスケット５０の第２環状部５２の内周部分と、カバー部３６の第１突出部３６ａの外周面と、カバー部３６の第２突出部３６ｂの内周面と、第２突出部３６ｂの内側に形成されている凹部３６ｔとによって、貯油室３５ｂ（図１）が形成される。
【００６０】
リテーナプレート９０（後面９０ｂ）と、ガスケット５０の第２環状部５２の外周部分と、カバー部３６の第２突出部３６ｂの外周面と、第２突出部３６ｂの外側に形成されている凹部（カバー部３６の壁部３６ｊの表面）とによって、吐出室３５ａ（図１）が形成される。
【００６１】
回転軸１６の後端側の部分（孔５１ｈよりも後方側に位置する部分）と、ガスケット５０の第１環状部５１の内周部分と、カバー部３６の第１突出部３６ａの内周面３６ｅと、第１突出部３６ａの内側に形成されている凹部３６ｕとによって、供給室７０が形成される。供給室７０は、貯油室３５ｂ内の潤滑油を一時的に貯留し、回転軸１６の後端部周りの摺動部へ潤滑油を供給する。
【００６２】
弁ユニット１５（弁プレート８０およびリテーナプレート９０）とカバー部３６の前側の壁部３６ｊとの間に、吐出室３５ａ、貯油室３５ｂおよび供給室７０が区画されており、これらはいずれも互いに離れた位置（ガスケット５０によって分離された位置）に形成される。供給室７０は貯油室３５ｂから見て内径側に位置し、貯油室３５ｂは吐出室３５ａから見て内径側に位置する。カバー部３６の前側の壁部３６ｊは、油分離室３６ｓを、吐出室３５ａ、貯油室３５ｂおよび供給室７０から区画する隔壁をなしている。
【００６３】
リテーナプレート９０の後面９０ｂとガスケット５０の垂下部５６との間には、隙間Ｓ（図１）が設けられる。貯油室３５ｂと供給室７０とは、隙間Ｓと、ガスケット５０の連通孔５７と、垂下部３６ｆの連通孔３６ｍとを介して連通する。供給室７０は、複数の背圧室４１の各々に連通してベーン１９に背圧を付与する。すなわち、隙間Ｓ、連通孔５７、連通孔３６ｍ、供給室７０、第１突出部３６ａの内周面３６ｅと回転軸１６との間の隙間（第１突出部３６ａの内周面３６ｅと回転軸１６との間の摺動部分）、孔５１ｈと回転軸１６との間の隙間、孔９７ｈと回転軸１６との間の隙間、連通溝９７ｇ（図３）、および、連通孔８７ｖ（図２，図３）は、貯油室３５ｂに貯留された潤滑油を背圧室４１に導く背圧供給路を構成する。
【００６４】
（ベーン型圧縮機１０の動作）
回転軸１６が回転すると、矢印Ｒ（図３）に示す方向にロータ１８が回転し、ベーン型圧縮機１０の外部から吸入ポート２２（図１）を通過して吸入空間２０に冷媒が吸入される。吸入空間２０に吸入された冷媒は、吸入孔２３（図３）を通過して、吸入行程中のシリンダ室１４ｄ（圧縮室２１）に吸入される。冷媒は、ロータ１８の回転に伴う圧縮室２１の容積減少により圧縮される。図４に示すように、圧縮室２１で圧縮された冷媒は、圧縮室２１から吐出通路３７に吐出され、吐出通路３７を通過し、吐出リード弁８１を押し退けて吐出室３５ａへ吐出される。
【００６５】
冷媒はその後、連絡通路３６ｋ（図１）を通過して油分離室３６ｓ内に送出される。冷媒は油分離筒３６ｗの外周面に吹き付けられ、油分離筒３６ｗの周囲を旋回しながら油分離室３６ｓ内の下方へ導かれる。遠心分離により冷媒から潤滑油が分離される。冷媒から分離された潤滑油は、油分離室３６ｓの底部側へ移動するとともに、油通路３６ｖを通過して貯油室３５ｂに送出される。
【００６６】
油分離室３６ｓ内の圧力は貯油室３５ｂ内の圧力より高く、貯油室３５ｂに送出された潤滑油の一部は、上記の背圧供給路および背圧室４１を通してベーン１９に供給される。外周側に押し出されたベーン１９により圧縮室２１が区画される。潤滑油は、供給室７０、背圧室４１、通油溝８７ｗおよび通油溝１３ａなど、ベーン型圧縮機１０内の各種の部材を潤滑させるために各所に案内され、ベーン型圧縮機１０内で循環する。
【００６７】
油分離室３６ｓ内の上側（吐出ポート３４側）に位置する空間と、油分離室３６ｓの下方に位置する空間（すなわち貯油室３５ｂ）とは直接的には連通していない。油分離室３６ｓ内で潤滑油が分離された冷媒は、吐出室３５ａおよび貯油室３５ｂを通過することなく、吐出ポート３４を介してベーン型圧縮機１０の外部へ吐出される。
【００６８】
油分離室３６ｓ内で潤滑油と分離されて吐出ポート３４に向かって流れる冷媒が、貯油室３５ｂ内の潤滑油に流入することはほとんどない。油分離室３６ｓ内で潤滑油と分離されて吐出ポート３４に向かって流れる冷媒が貯油室３５ｂ内に貯留されている潤滑油の油面を乱すといったこともほとんどない。
【００６９】
（作用および効果）
特開２０１３−２４９７６８号公報（特許文献１）に開示された圧縮機においては、シリンダ室を形成するリアサイドブロックと、吐出孔を開閉する吐出リード弁とが互いに別の部材から構成される。本実施の形態のベーン型圧縮機１０においては、１枚の弁プレート８０が、シリンダ室１４ｄを形成するという機能（中央部８７）と、吐出通路３７を開閉するという機能（吐出リード弁８１）との両方を兼ね備えている。上記公報に開示された圧縮機に比べて、ベーン型圧縮機１０によればこれら２つの機能を担う構成の部品点数を少なくすることが可能となる。
【００７０】
ベーン型圧縮機１０においては、シリンダ部１４の端面１４ｔに吐出通路３７が開口しており、吐出通路３７の後端部分を直接塞ぐように吐出リード弁８１が端面１４ｔを弁座として配置されている。仮に、シリンダ部１４の端面１４ｔに、特開２０１３−２４９７６８号公報（特許文献１）に開示されているような所定厚みを有するリアサイドブロックを配置したとする。リアサイドブロックには、リアサイドブロックを厚み方向（軸方向）に貫通する吐出孔が形成される。吐出孔の後端部分を塞ぐように吐出リード弁８１をリアサイドブロックの後面上に配置した場合には、吐出孔がデッドボリュームとなる。これに対して本実施の形態のベーン型圧縮機１０によれば、吐出通路３７の後端部分を直接塞ぐように吐出リード弁８１が端面１４ｔを弁座として配置されているため、上記のような仮の構成の場合に比べてデッドボリュームを小さくすることが可能となっている。
【００７１】
ベーン型圧縮機１０においては、切欠８２（図３）が、外側開口端８３、湾曲部８４、直線部８５、および内側端８６を有しており、全体として略Ｊ字形状に延びている。切欠８２は、外側開口端８３が弁プレート８０の外周縁で開口するように形成されている。当該構成によれば、吐出リード弁８１の外周縁と中央部８７の外周縁とが１つの連続した閉曲線から形成されることとなり、吐出リード弁８１は弁プレート８０の中で径方向における最外側に位置することとなる。中央部８７の面積をその分広く確保することが可能となり、たとえばより大きな容量を有するシリンダ室１４ｄを形成することが可能となる。
【００７２】
シリンダ部１４においては、シリンダ室１４ｄを形成している部分（内周面１４ｃ）以外の部位が、シリンダ部１４の端面１４ｔを構成しており、端面１４ｔは環状の形状を有している。端面１４ｔは、弁プレート８０のうちの吐出リード弁８１が形成された部分だけでなく、弁プレート８０のうちの吐出リード弁８１が形成されていない部分も支持している。当該構成においては、吐出リード弁８１の径方向における外側に位置する部分が端面１４ｔとリヤハウジング１２とによって挟まれていないが、当該構成であっても、弁プレート８０は端面１４ｔとリヤハウジング１２とによって広く支持されることができ、吐出リード弁８１の外周縁を弁プレート８０の外周縁とすることが可能となる。すなわち、吐出リード弁８１は弁プレート８０の中で径方向における最外側に位置することが可能となる。吐出リード弁８１の径方向における外側の位置に弁プレート８０が存在しないため、吐出リード弁８１の径方向における外側の位置において、開弁時に冷媒ガスは遮られることなく吐出室３５ａに向けて流れることが可能となる。
【００７３】
吐出リード弁８１は、先端部８１ａおよび基端部８１ｂが弁プレート８０の外周域に位置するように延在している。先端部８１ａと基端部８１ｂとは弁プレート８０（中央部８７）の周方向において相互に離間している。仮に、先端部８１ａおよび基端部８１ｂのうちのいずれかが弁プレート８０の外周域に位置しないように吐出リード弁８１が延在している場合、先端部８１ａと基端部８１ｂとの間の距離を増減させることは、周壁１２ａの内径の変化に繋がる可能性がある。先端部８１ａおよび基端部８１ｂの双方が弁プレート８０の外周域に位置するように吐出リード弁８１が延在している場合、先端部８１ａと基端部８１ｂとの間の距離を増減させたとしても、周壁１２ａの内径への影響を少なく（または影響がおよばないように）することができ、設計変更（仕様変更）などに柔軟に対応しやすいというメリットがある。たとえば、吐出リード弁８１のアーム長さを長くした場合であっても、ベーン型圧縮機１０の大型化を抑制することが可能となる。
【００７４】
（その他の構成１）
ベーン型圧縮機１０においては、シリンダ部１４の端面１４ｔにネジ穴１４ｍ，１４ｎが開口しており、挿通孔８８，８９，９８，９９に挿通されたボルト７８，７９によって弁ユニット１５（弁プレート８０およびリテーナプレート９０）がシリンダ部１４の端面１４ｔに固定されている。このような構成に限られず、図５に示すように、カバー部３６の壁部３６ｊから前側に向けて延びる突出部３８を設けて、弁ユニット１５がこの突出部３８から受ける押圧力によってシリンダ部１４の端面１４ｔに固定されることも可能である。
【００７５】
図５に示す突出部３８はボルト７８の代替要素として機能する部材であり、挿通孔９８に挿通されて、吐出リード弁８１の基端部８１ｂに設けられた所定の押圧箇所８８ａを押圧する。突出部３８によって基端部８１ｂが押圧されることで、吐出リード弁８１はシリンダ部１４の端面１４ｔに固定される。ボルト７９についても同様に、突出部３８と同様な構成を有する部材に置き換えられてもよい。ボルト７８，７９が用いられない分、部品点数を少なくすることが可能となる。一方で、ネジ穴１４ｍ，１４ｎとボルト７８，７９とによる固定手法の方が、突出部３８をカバー部３６に設ける場合に比べて吐出リード弁８１の基端部８１ｂをシリンダ部１４に直接的に固定でき、設計変更（仕様変更）などに柔軟に対応しやすいというメリットがある。
【００７６】
（その他の構成２）
切欠８２の湾曲部８４は、外側開口端８３に連続して形成されており、外側開口端８３の位置から径方向の内側に向かって湾曲して延在している。外側開口端８３および湾曲部８４は、吐出リード弁８１の先端部８１ａの外周縁を円弧状に囲むように延在している。直線部８５は、湾曲部８４に連続して形成されている。直線部８５は、吐出リード弁８１のうちの長手方向に延びる側部（弁プレート８０の径方向における内側に位置する側部）を形成している。
【００７７】
切欠８２の直線部８５は第１部分に相当しており、弁プレート８０の周方向に沿うように延在している。換言すると、直線部８５のうちの湾曲部８４の側に位置する端部と、直線部８５のうちの内側端８６の側に位置する端部とは、いずれも弁プレート８０の外周域内に存在しており、弁プレート８０（中央部８７）の周方向において相互に離間するように配置されている。本実施の形態では、直線部８５は弁プレート８０の径方向に対して直交する方向に直線状に延在している。湾曲部８４は、第２部分に相当しており、直線部８５から外側開口端８３に向かって弁プレート８０の径方向の内側から外側に延びている。
【００７８】
切欠８２が直線部８５（第１部分）と湾曲部８４（第２部分）とを有していることによって、吐出リード弁８１のうちの長手方向に延びる側部（弁プレート８０の径方向における内側に位置する側部）と、吐出リード弁８１の先端部８１ａとが形成される。吐出リード弁８１を形成するための切欠８２をより小さく構成することにより、吐出リード弁８１の表面積と中央部８７の表面積とをより多く確保することができ、ひいては所定の剛性を有する弁プレート８０を効率よく得ることが可能となっている。
【００７９】
（その他の構成３）
図３に示すように、ベーン型圧縮機１０の弁プレート８０は、シリンダ部１４とともにシリンダ室１４ｄを形成する中央部８７を有している。吐出リード弁８１は、切欠８２から見て中央部８７の反対側、すなわち切欠８２の径方向外側に位置する。弁プレート８０の径方向において吐出リード弁８１の外側に位置する外周縁８１ｓ（弁プレート８０の径方向における外側に位置する側部）は、中央部８７の外周縁８７ｓを規定している周方向に沿うように延在している。換言すると、外周縁８１ｓの一端と外周縁８１ｓの他端とは、中央部８７の外周縁８７ｓを規定している周方向において相互に離間するように位置している。
【００８０】
弁プレート８０の径方向において吐出リード弁８１の外側に位置する外周縁８１ｓは、吐出リード弁８１の中で径方向における最外側に位置している。弁プレート８０の径方向において外周縁８１ｓの位置をより外側に設けることによって、吐出リード弁８１の表面積をより多く確保することができ、ひいては所定の剛性を有する吐出リード弁８１を効率よく得ることが可能となっている。
【００８１】
（その他の構成４）
本実施の形態においては、吐出リード弁８１の外周縁８１ｓは、直線状に延びている。中央部８７の外周縁８７ｓを規定している周方向を延長して仮想円Ｃ（図３）を描いたとすると、弁プレート８０の径方向において吐出リード弁８１の外側に位置する外周縁８１ｓはこの仮想円Ｃよりも内側に位置している。当該構成によれば、吐出リード弁８１が設けられた弁プレート８０をリヤハウジング１２（周壁１２ａ）の内側に容易に配置することができる。
【００８２】
弁プレート８０の径方向において吐出リード弁８１の内側に位置する側部（外周縁８１ｓ）が直線状であることにより、吐出リード弁８１のばね定数を容易に算出することが可能となり、設計上の都合もよい。弁プレート８０の径方向において吐出リード弁８１の内側（直線部８５側）に位置する側部が直線状であることによっても、吐出リード弁８１のばね定数を容易に算出することが可能となり、設計上の都合もよい。吐出リード弁８１の両方の側部が直線状であることにより、吐出リード弁８１は安定して吐出通路３７を開閉することも可能となる。
【００８３】
弁プレート８０の径方向において吐出リード弁８１の外側に位置する外周縁および吐出リード弁８１の内側に位置する内周縁が、直線状に延びる形状を有し、互いに平行に延在している。吐出リード弁８１の幅方向において中心に位置し且つ吐出リード弁８１の延在方向に沿って延びる直線を描いたとすると、当該構成によれば、吐出リード弁８１は、当該直線に対して略対称形状を有することとなるため、吐出リード弁８１は安定して開閉動作を行なうことが可能となる。
【００８４】
（その他の構成５）
吐出リード弁８１を形成している切欠８２は、先端部８１ａから基端部８１ｂに向かう方向（矢印ＡＲ（図３））において、ボルト７８（図２）の締結位置を越える位置にまで到達するように延在している。ボルト７８（図２）の締結位置とは、弁プレート８０のうちの挿通孔８８が形成されている位置に相当する。本実施の形態では、切欠８２が、その延在方向（矢印ＡＲ）における先端に端部８２Ｔ（図３）を有している。切欠８２の延在方向（矢印ＡＲ）において、挿通孔８８が形成されている位置を越えるように、切欠８２が端部８２Ｔの位置まで延在している。切欠８２の延在方向（矢印ＡＲ）に対して直交する方向に挿通孔８８を仮想的に投影（仮想的にスライド移動）させたとしても、挿通孔８８の投影像が端部８２Ｔに重なることはない。リテーナ９１を形成している切欠９２は、先端部９１ａから基端部９１ｂに向かう方向において、ボルト７８（図２）の締結位置を越える位置にまで到達するように延在している。ボルト７８（図２）の締結位置とは、リテーナプレート９０のうちの挿通孔９８が形成されている位置に相当する。本実施の形態では、切欠９２が、その延在方向における先端に端部９２Ｔ（図３）を有している。切欠９２の延在方向において、挿通孔９８が形成されている位置を越えるように、切欠９２が端部９２Ｔの位置まで延在している。切欠９２の延在方向に対して直交する方向に挿通孔９８を仮想的に投影（仮想的にスライド移動）させたとしても、挿通孔９８の投影像が端部９２Ｔに重なることはない。
【００８５】
仮に、吐出リード弁８１を形成している切欠８２が、吐出リード弁８１の先端部８１ａから基端部８１ｂに向かう方向（矢印ＡＲ（図３））において、ボルト７８（図２）の締結位置を越える位置にまで到達するように延在していないとする。このような場合、ボルト７８の締結位置よりも先端部８１ａに近い箇所に弾性変形の固定端が形成される。このように形成された固定端は、ボルト７８の締結位置から離れているため、弾性変形の固定端（起点）として安定して機能することが難しく、結果として、吐出リード弁８１による吐出通路３７の開閉が適切に行なわれ難くなったり、開閉の際に不要な位置に応力集中が発生しやすくなったりする。これに対し、ベーン型圧縮機１０においては、吐出リード弁８１を形成している切欠８２が、吐出リード弁８１の先端部８１ａから基端部８１ｂに向かう方向（矢印ＡＲ（図３））において、ボルト７８（図２）の締結位置を越える位置にまで到達するように延在している。ボルト７８の締結位置が弾性変形の固定端を形成することとなり、吐出リード弁８１による吐出通路３７の開閉を適切に行なうことができ、開閉の際に不要な位置に応力集中が発生することも効果的に抑制することが可能となる。本実施の形態では切欠８２は略Ｊ字形状を有しているが、切欠８２の形状は、略Ｊ字形状に限られず、たとえば、Ｃ字形状、Ｌ字形状、Ｕ字形状、Ｖ字形状など、任意のアルファベット文字を模した形状を呈していても構わない。
【００８６】
（その他の構成６）
切欠８２の内側端８６は、直線部８５に連続して形成されており、直線部８５の位置に対して湾曲部８４の反対側に設けられる。内側端８６の一部が、切欠８２の端部８２Ｔを構成している。内側端８６の一部または全部が、先端部８１ａから基端部８１ｂに向かう方向（矢印ＡＲ（図３））においてボルト７８の締結位置を越える位置に配置されている。
【００８７】
切欠８２のうち、先端部８１ａから基端部８１ｂに向かう方向（矢印ＡＲ）においてボルト７８の締結位置を越えて延在している部分（ここでは直線部８５から内側端８６に向けて延びる部分）は、吐出リード弁８１の幅を狭めるように、あるいはボルト７８（図２）の周方向（ここでは挿通孔８８の周方向）に沿うように湾曲している。吐出リード弁８１の外周縁８１ｓも、吐出リード弁８１の幅を狭めるように、あるいはボルト７８（図２）の周方向（ここでは挿通孔８８の周方向）に沿うように湾曲している。
【００８８】
当該構成によれば、弁プレート８０のうちの吐出リード弁８１が形成されている部分の幅が、先端部８１ａの側から基端部８１ｂの側に向かうにしたがって左右で略均等に増減することとなる。すなわち、弁プレート８０のうちの吐出リード弁８１が形成されている部分は、弁プレート８０の長手方向に延びる中心軸に対して左右対称により近い形状を呈することとなる。吐出リード弁８１が弾性変形して吐出通路３７を開閉する際、吐出リード弁８１に捩れなどが発生することをより一層抑制でき、吐出リード弁８１の幅方向において吐出リード弁８１がより均一に弾性変形することが可能となる。
【００８９】
本実施の形態においては、切欠８２が湾曲部８４を有しているが、湾曲部８４は切欠８２に必須の構成ではない。切欠８２が湾曲部８４を有していない場合には、吐出リード弁８１の形状を簡素化することができるため、吐出リード弁８１を備えた弁プレート８０を容易に作製することが可能となる。
【００９０】
（その他の構成７）
吐出通路３７の前端部分は、シリンダ部１４の内周面１４ｃに開口しており（図１，図２）、吐出通路３７の後端部分は、シリンダ部１４の端面１４ｔに開口している。図１に示すように、吐出通路３７は、回転軸１６の軸方向に対して交差する方向に沿って、斜めに延在している。径方向における位置を比較すると、吐出通路３７の後端部分は吐出通路３７の前端部分よりも外側に位置している。
【００９１】
吐出通路３７は、Ｌ字状に屈曲または湾曲して形成することも可能である。すなわち、吐出通路３７は、回転軸１６に対して直交する方向（すなわち径方向）に延びるように形成された部分と、当該部分から後方に向かって軸方向に延びるように形成された部分とから構成することも可能である。これに対して、吐出通路３７が回転軸１６の軸方向に対して交差する方向に沿って斜めに延在している場合には、Ｌ字状の吐出通路３７の場合に比べてデッドボリュームを小さくすることが可能となる。
【００９２】
（その他の構成８）
ベーン型圧縮機１０においては、弁プレート８０およびリテーナプレート９０が、複数のボルト７８，７９（図２）を用いてシリンダ部１４の端面１４ｔに固定されている。ボルト７８，７９のうちのボルト７８が、吐出リード弁８１を端面１４ｔに締結している。弁プレート８０およびリテーナプレート９０は、ボルト７８のみによりシリンダ部１４の端面１４ｔに固定されていてもよい。ボルト７９が用いられないため、弁プレート８０をシリンダ部１４に固定するための構成の部品点数を少なくすることが可能となる。
【００９３】
（その他の構成９）
上述のとおり、吸入ポート２２（図１）の内側にはシリンダ室１４ｄに吸入される冷媒の逆流を防止するための逆止弁２６が設けられる。ボルト７８，７９（図２）は、ボルト７８，７９を逆止弁２６の側に向かって軸方向に仮想的に投影させた際に形成される投影像が、逆止弁２６に重ならない位置に配置されているとよい。逆止弁２６が配置されている位置は、吐出通路３７が形成されている位置に比べて軸方向に作用する圧力が小さい。吐出通路３７に対応する位置にボルト７８，７９を配置することによって、ボルト７８，７９の締結力を効率よく利用可能となる。
【００９４】
（その他の構成１０）
ベーン型圧縮機１０においては、底壁部１３ｐとシリンダ部１４とが一体に形成されているが、フロントサイドプレートとして底壁部１３ｐをシリンダ部１４とは別体に形成し、軸方向において間隔を空けて配置されたフロントサイドプレートと弁ユニット１５との間にシリンダ部１４が配置されている構成であってもよい。油分離室３６ｓは、鉛直方向に延在するように図示されているが、油分離室３６ｓは、鉛直方向に対して傾斜して配置されていてもよい。
【００９５】
以上、実施の形態について説明したが、上記の開示内容はすべての点で例示であって制限的なものではない。本発明の技術的範囲は特許請求の範囲によって示され、特許請求の範囲と均等の意味および範囲内でのすべての変更が含まれることが意図される。
【符号の説明】
【００９６】
１０  ベーン型圧縮機、１１  ハウジング、１２  リヤハウジング、１２ａ  周壁、１３  フロントハウジング、１３ａ，８７ｗ  通油溝、１３ｈ，５１ｈ，８７ｈ，９７ｈ  孔、１３ｐ  底壁部、１３ｓ，１４ｔ  端面、１４  シリンダ部、１４ａ，３６ｔ，３６ｕ  凹部、１４ｃ，３６ｅ  内周面、１４ｄ  シリンダ室、１４ｍ，１４ｎ  ネジ穴、１５  弁ユニット、１６  回転軸、１７ａ  軸封装置、１８  ロータ、１８ａ  ベーン溝、１８ｃ  外周面、１９  ベーン、２０  吸入空間、２１  圧縮室、２２  吸入ポート、２３  吸入孔、２６  逆止弁、３４  吐出ポート、３５ａ  吐出室、３５ｂ  貯油室、３６  カバー部、３６ａ  第１突出部、３６ｂ  第２突出部、３６ｄ  段差部、３６ｆ，５６  垂下部、３６ｊ  壁部、３６ｋ  連絡通路、３６ｍ，５７，８７ｖ  連通孔、３６ｎ  後端部分、３６ｓ  油分離室、３６ｖ  油通路、３６ｗ  油分離筒、３７  吐出通路、３８  突出部、４１  背圧室、５０  ガスケット、５１  第１環状部、５２  第２環状部、５３  外周部、５４，５５  接続部、７０  供給室、７８  ボルト（締結具）、７９  ボルト、８０  弁プレート、８０ａ，９０ａ  前面、８０ｂ，９０ｂ  後面、８０ｓ，８１ｓ，８７ｓ  外周縁、８１  吐出リード弁、８１ａ，９１ａ  先端部、８１ｂ，９１ｂ  基端部、８２，９２  切欠、８２Ｔ，９２Ｔ  端部、８３  外側開口端、８４  湾曲部、８５  直線部、８６  内側端、８７，９７  中央部、８８，８９，９８，９９  挿通孔、９０  リテーナプレート、９１  リテーナ、９７ｇ  連通溝、ＡＲ，Ｒ  矢印、Ｃ  仮想円、Ｓ  隙間。
【図１】
2019143596.tif 000003
【図２】
2019143596.tif 000004
【図３】
2019143596.tif 000005
【図４】
2019143596.tif 000006
【図５】
2019143596.tif 000007